(57)【要約】      （修正有）【課題】弁の動態観察に適した断面や、心臓の血流動態の把握に適した断面等、基準６断面以外の心臓診断上有用な断面を自動設定することができる磁気共鳴イメージング装置を提供する。【解決手段】磁気共鳴イメージング装置は、被検体からの磁気共鳴信号を収集し、前記被検体の心臓を含む３次元データを前記磁気共鳴信号から生成する３Ｄデータ生成部１０２と、前記心臓を含む３次元データから、心臓内の複数の解剖学的特徴部位の位置を検出する特徴部位検出部１０４と、前記複数の解剖学的特徴部位の位置から、心臓内の所定の観察部位又はその近傍領域を含む断面であって、心臓内の血流路に略直交する断面を撮像断面として決定する撮像断面決定部１０８と、決定された前記撮像断面を撮像する撮像部５００と、前記撮像断面の画像を再構成する再構成部１１２と、を備えたことを特徴とする。【選択図】図２
2015131023.tif 000002
【特許請求の範囲】
【請求項１】
被検体からの磁気共鳴信号を収集し、前記被検体の心臓を含む３次元データを前記磁気共鳴信号から生成する３Ｄデータ生成部と、
前記心臓を含む３次元データから、心臓内の複数の解剖学的特徴部位の位置を検出する特徴部位検出部と、
前記複数の解剖学的特徴部位の位置から、心臓内の所定の観察部位又はその近傍領域を含む断面であって、心臓内の血流路に略直交する断面を撮像断面として決定する撮像断面決定部と、
決定された前記撮像断面を撮像する撮像部と、
前記撮像断面の画像を再構成する再構成部と、
を備えたことを特徴とする磁気共鳴イメージング装置。
【請求項２】
前記観察部位は、心臓内の所定の弁又はその近傍領域、若しくは、前記所定の弁に連なる血流ダクトであり、
前記撮像断面決定部で決定される撮像断面は、前記所定の弁の横断面又はその近傍領域の横断面、若しくは前記弁に連なる血流ダクトの横断面、である、
ことを特徴とする請求項１に記載の磁気共鳴イメージング装置。
【請求項３】
前記特徴部位検出部は、前記観察部位を含む少なくとも３つの解剖学的特徴部位の位置を検出し、
撮像断面決定部は、前記３つの解剖学的特徴部位の位置を含む断面を基準面として決定し、前記基準面に含まれる基準軸と略直交する断面を前記撮像断面として決定する、
ことを特徴とする請求項２に記載の磁気共鳴イメージング装置。
【請求項４】
前記撮像断面決定部は、
前記所定の弁の位置を通る前記血流ダクトの中心軸を決定し、決定した前記血流ダクトの中心軸を前記基準軸として設定する、
ことを特徴とする請求項３に記載の磁気共鳴イメージング装置。
【請求項５】
前記撮像断面決定部は、
前記基準面の画像データから、前記血流ダクトの壁面を含む領域の画素値の勾配を求め、前記血流ダクトの中心軸の方向と前記勾配の方向とが略直交するように、前記血流ダクトの中心軸の傾きを決定する、
ことを特徴とする請求項４に記載の磁気共鳴イメージング装置。
【請求項６】
前記基準面は、僧帽弁、心尖部、及び大動脈弁を通る三腔長軸断面であり、
前記所定の弁は大動脈弁であり、前記血流ダクトは、前記大動脈弁に連なる大動脈ダクトである、
ことを特徴とする請求項３乃至５のいずれか１項に記載の磁気共鳴イメージング装置。
【請求項７】
前記基準面は、肺動脈弁、三尖弁、及び右室心尖部を通る断面であり、
前記所定の弁は肺動脈弁であり、前記血流ダクトは、前記肺動脈弁に連なる肺動脈ダクトである、
ことを特徴とする請求項３乃至５のいずれか１項に記載の磁気共鳴イメージング装置。
【請求項８】
前記基準面は、僧帽弁、心尖部、及び大動脈弁を含む三腔長軸断面であり、
前記所定の弁は僧帽弁であり、前記血流ダクトは、前記僧坊弁に連なる血流ダクトである、
ことを特徴とする請求項３乃至５のいずれか１項に記載の磁気共鳴イメージング装置。
【請求項９】
前記基準面は、肺動脈弁、三尖弁、及び右室心尖部を通る断面であり、
前記所定の弁は三尖弁であり、前記血流ダクトは、前記三尖弁に連なる血流ダクトである、
ことを特徴とする請求項３乃至５のいずれか１項に記載の磁気共鳴イメージング装置。
【請求項１０】
前記特徴部位検出部は、機械学習に基づく手法によって、心臓内の前記複数の解剖学的特徴部位の各位置を検出する、
ことを特徴とする請求項１に記載の磁気共鳴イメージング装置。
【請求項１１】
前記特徴部位検出部は、テンプレートマッチングに基づく手法によって、心臓内の前記複数の解剖学的特徴部位の各位置をさらに高精度で検出する、
ことを特徴とする請求項１０に記載の磁気共鳴イメージング装置。
【請求項１２】
前記撮像部は、
前記所定の弁の横断面又はその近傍領域の横断面を含む断面に対してシネ撮像を行う、
ことを特徴とする請求項１乃至１１のいずれかに記載の磁気共鳴イメージング装置。
【請求項１３】
前記シネ撮像は、ＦＥ（Field Echo）系の撮像法、或いはＳＳＦＰ(Steady State Free Precession)法を用いた撮像である、
ことを特徴とする請求項１２に記載の磁気共鳴イメージング装置。
【請求項１４】
前記撮像部は、
前記弁に連なる血流ダクトの横断面を含む断面に対して、血流速度情報を取得可能な撮像法で撮像を行う、
ことを特徴とする請求項１乃至１１のいずれかに記載の磁気共鳴イメージング装置。
【請求項１５】
前記血流速度情報を取得可能な撮像法は、位相コントラスト法である、
ことを特徴とする請求項１４に記載の磁気共鳴イメージング装置。
【請求項１６】
前記血流速度情報と前記血流ダクトの径の大きさの情報とから、血流量の解析を含む、心臓の血流動態を解析する解析部、
をさらに備えたことを特徴とする請求項１４又は請求項１５に記載の磁気共鳴イメージング装置。
【請求項１７】
前記３Ｄデータ生成部は、異なる複数の心時相において収集された前記磁気共鳴信号から、前記異なる複数の心時相に対応する前記３次元データを複数生成し、
前記特徴部位検出部は、前記複数の３次元データから、心臓内の複数の解剖学的特徴部位の位置を前記心時相毎に検出し、
前記撮像断面決定部は、前記撮像断面を心時相毎に決定し、
前記撮像部は、前記心時相毎に決定された撮像断面を撮像する、
ことを特徴とする請求項１に記載の磁気共鳴イメージング装置。
【発明の詳細な説明】
【技術分野】
【０００１】
本発明の実施形態は磁気共鳴イメージング装置に関する。
【背景技術】
【０００２】
磁気共鳴イメージング装置は、静磁場中に置かれた患者の原子核スピンをラーモア周波数の高周波（ＲＦ：Radio Frequency）信号で励起し、励起に伴って患者から発生する磁気共鳴信号を再構成して画像を生成する撮像装置である。
【０００３】
磁気共鳴イメージング装置を用いた多くの心臓検査では、まず、診断に有用な基準６断面を設定し、設定したそれぞれの基準断面上において、診断の目的に応じた種々の静止画像や動画像等の撮像を行っている。
【０００４】
ここで、基準６断面とは、垂直長軸断面、水平長軸断面、短軸断面、二腔（２ chamber）長軸断面、三腔（３ chamber）長軸断面、及び四腔（４ chamber）長軸断面の６つの断面のことである。
【０００５】
従来、基準６断面を設定するために、アキシャル断面像から垂直長軸断面位置を決定し、決定した垂直長軸断面位置において撮像した垂直長軸断面像から水平長軸断面位置を決定し、決定した水平長軸断面位置において撮像した水平長軸断面像から短軸断面位置を決定し、といった位置決めと撮像の手順を繰り返す手法（この手法は、オブリーク断面の位置決めと撮像を繰り返し行う手法であるため、チェーンオブリークと呼ばれる場合もある）が用いられていた。
【０００６】
このチェーンオブリークによる従来の手法は、手順が煩雑なだけでなく、先に設定した断面の位置誤差が後の断面の設定に伝搬するため、断面位置の設定精度を確保するには、位置決め作業に操作者の高度な熟練と技量が要求される。また、基準６断面の設定に相当の時間が必要となるため、患者に対しても少なからぬ負担を強いるものとなっていた。
【０００７】
そこで、心臓の解剖学的特徴を検出し、基準６断面の設定を自動化する技術が開発されている（例えば、特許文献１、非特許文献１）。
【先行技術文献】
【特許文献】
【０００８】
【特許文献１】特開２０１２−１１０６８８号公報
【非特許文献】
【０００９】
【非特許文献１】S. Nitta, T. Taguchi, N. Matsumoto, S. Kuhara, K. Yokoyama, R. Ishimura, T. Nitatori (2013)“Automatic slice alignment method for cardiac magnetic resonance imaging”, Magn Reson Mater Phy DOI: 10.1007/s10334-012-0361-4
【発明の概要】
【発明が解決しようとする課題】
【００１０】
しかしながら、特許文献１等が開示する技術は、あくまで上記の基準６断面の自動設定技術に関するものであり、基準６断面以外の心臓診断上有用な断面の設定方法を開示するものではない。例えば、弁膜症の検査には大動脈弁や肺動脈弁等の弁の動態観察が必要となるが、これらの弁の動態観察に適した断面の設定について、十分な自動化がなされているとは言えない。また、心臓の血流動態の把握には、大動脈弁や肺動脈弁等の弁近傍の血流速度や流路径の動的な情報が必要となるが、血流速度や流路径の測定に適した撮像断面の設定についても、十分な自動化がなされているとは言い難い。
【００１１】
そこで、弁の動態観察に適した断面や、心臓の血流動態の把握に適した断面等、基準６断面以外の心臓診断上有用な断面を自動設定することができる磁気共鳴イメージング装置が要望されている。
【課題を解決するための手段】
【００１２】
本実施形態の磁気共鳴イメージング装置は、被検体からの磁気共鳴信号を収集し、前記被検体の心臓を含む３次元データを前記磁気共鳴信号から生成する３Ｄデータ生成部と、前記心臓を含む３次元データから、心臓内の複数の解剖学的特徴部位の位置を検出する特徴部位検出部と、前記複数の解剖学的特徴部位の位置から、心臓内の所定の観察部位又はその近傍領域を含む断面であって、心臓内の血流路に略直交する断面を撮像断面として決定する撮像断面決定部と、決定された前記撮像断面を撮像する撮像部と、前記撮像断面の画像を再構成する再構成部と、を備えたことを特徴とする。
【図面の簡単な説明】
【００１３】
【図１】実施形態の磁気共鳴イメージング装置の全体構成例を示す構成図。
【図２】弁等の撮像断面自動設定処理に関わる構成を示すブロック図。
【図３】撮像対象である心臓の解剖学的モデルを例示する図。
【図４】弁等の撮像断面自動設定処理、及び自動設定された撮像断面における撮像処理、の一例を示すフローチャート。
【図５】マルチスライスアキシャル断面画像（３次元データ）の概念、及び等方化処理の概念を示す図。
【図６】３つの解剖学的特徴部位の位置を用いた基準面（三腔長軸断面）の決定方法を説明する図。
【図７】基準軸（大動脈ダクトの中心軸）を決定する具体的な処理例を示すフローチャート。
【図８】基準軸（大動脈ダクトの中心軸）を決定する方法の第１の説明図。
【図９】基準軸（大動脈ダクトの中心軸）を決定する方法の第２の説明図。
【図１０】基準軸（大動脈ダクトの中心軸）を決定する方法の第３の説明図。
【図１１】基準軸（大動脈ダクトの中心軸）を決定する方法の第４の説明図。
【図１２】大動脈弁の撮像断面の決定方法、及びその撮像断面を撮像したシネ画像の例を示す図。
【図１３】大動脈ダクトの撮像断面の決定方法、及びその撮像断面を撮像した血流速度画像の例を示す図。
【図１４】肺動脈弁の撮像断面の決定方法を説明する図。
【図１５】三尖弁及び僧帽弁の撮像断面の決定方法を説明する図。
【図１６】第２の実施形態における撮像断面の決定方法を説明する図。
【図１７】第３の実施形態における撮像断面の決定方法を説明する図。
【発明を実施するための形態】
【００１４】
以下、本発明の実施形態を添付図面に基づいて説明する。
【００１５】
（１）全体構成
図１は、本実施形態における磁気共鳴イメージング装置１の全体構成を示すブロック図である。磁気共鳴イメージング装置１は、磁石架台１００、寝台２００、制御キャビネット３００、コンソール４００等を備える。
【００１６】
磁石架台１００は、静磁場磁石１０、傾斜磁場コイル１１、ＲＦコイル１２等を有しており、これらの構成は円筒状の筐体に収納されている。寝台２００は、寝台本体２０と天板２１を有している。
【００１７】
一方、制御キャビネット３００は、静磁場用電源３０、傾斜磁場電源３１（Ｘ軸用３１ｘ、Ｙ軸用３１ｙ、Ｚ軸用３１ｚ）、ＲＦ受信器３２、ＲＦ送信器３３、シーケンスコントローラ３４等を備えている。また、コンソール４００は、プロセッサ４０、記憶部４１、入力部４２、表示部４３等を有するコンピュータとして構成されている。
【００１８】
磁石架台１００の静磁場磁石１０は、概略円筒形状をなしており、被検体（患者）の撮像領域であるボア（静磁場磁石１０の円筒内部の空間）内に静磁場を発生させる。静磁場磁石１０は超電導コイルを内蔵し、液体ヘリウムによって超電導コイルが極低温に冷却されている。静磁場磁石１０は、励磁モードにおいて静磁場用電源３０から供給される電流を超電導コイルに印加することで静磁場を発生し、その後、永久電流モードに移行すると、静磁場用電源３０は切り離される。一旦永久電流モードに移行すると、静磁場磁石１０は長時間、例えば１年以上に亘って、大きな静磁場を発生し続ける。なお、静磁場磁石１０を永久磁石として構成しても良い。
【００１９】
傾斜磁場コイル１１も概略円筒形状をなし、静磁場磁石１０の内側に固定されている。この傾斜磁場コイル１１は、傾斜磁場電源（３１ｘ、３１ｙ、３１ｚ）から供給される電流によりＸ軸，Ｙ軸，Ｚ軸の方向に傾斜磁場を被検体に印加する。
【００２０】
寝台２００の寝台本体２０は天板２１を上下方向に移動可能であり、撮像前に天板２１に載った被検体を所定の高さまで移動させる。その後、撮影時には天板２１を水平方向に移動させて被検体をボア内に移動させる。
【００２１】
ＲＦコイル１２は全身用コイルとも呼ばれ、傾斜磁場コイル１１の内側に被検体を挟んで対向するように固定されている。ＲＦコイル１２は、ＲＦ送信器３３から伝送されるＲＦパルスを被検体に向けて送信する一方、また、水素原子核の励起によって被検体から放出される磁気共鳴信号を受信する。
【００２２】
ＲＦ送信器３３は、シーケンスコントローラ３４からの指示に基づいて、ＲＦコイル１２にＲＦパルスを送信する。一方、ＲＦ受信器３２は、ＲＦコイル１２によって受信された磁気共鳴信号を検出し、検出した磁気共鳴信号をデジタル化して得られる生データをシーケンスコントローラ３４に対して送信する。
【００２３】
シーケンスコントローラ３４は、コンソール４００による制御のもと、傾斜磁場電源３１、ＲＦ送信器３３およびＲＦ受信器３２をそれぞれ駆動することによって被検体のスキャンを行う。そして、シーケンスコントローラ３４は、スキャンを行ってＲＦ受信器３２から生データを受信すると、その生データをコンソール４００に送信する。
【００２４】
コンソール４００は、磁気共鳴イメージング装置１全体を制御する。具体的には、検査技師等のマウスやキーボード等（入力部４２）の操作によって撮像条件その他の各種情報や指示を受け付ける。そして、プロセッサ４０は、入力された撮像条件に基づいてシーケンスコントローラ３４にスキャンを実行させる一方、シーケンスコントローラ３４から送信された生データに基づいて画像を再構成する。再構成された画像は表示部４３に表示され、或いは記憶部４１に保存される。
【００２５】
磁気共鳴イメージング装置１は、前述した、弁の動態観察に適した断面や心臓の血流動態の把握に適した断面を設定する。より具体的には、磁気共鳴イメージング装置１は、心臓内の弁の横断面や心臓内の主要な血流路の横断面を設定する処理を行っている。以下、この処理を、「弁等の撮像断面自動設定処理」と呼ぶものとする。弁等の撮像断面自動設定処理は、主に、コンソール４００で行っている。
【００２６】
なお、以下に示す本実施形態では、操作者の操作を介することなく撮像断面を設定する例について述べるが、断面の設定指示や、磁気共鳴イメージング装置１が設定した断面を修正する指示等を受け付ける構成であってもよい。
【００２７】
図２は、弁等の撮像断面自動設定処理に関わる構成を示すブロック図である。図２に示すように、磁気共鳴イメージング装置１は、３Ｄデータ取得用撮像条件設定部１１６、３Ｄデータ生成部１０２、特徴部位検出部１０４、基準面／基準軸決定部１０６、撮像断面決定部１０８、断面画像取得用撮像条件設定部１１０、断面画像再構成部１１２、画像解析部１１４等のユニットを有している。これらの各ユニットの機能は、所定のプログラムコードを、コンソール４００のプロセッサ４０が実行することによって実現されるが、このようなソフトウェア処理に限らず、例えば、ＡＳＩＣ等を用いたハードウェア処理で実現しても良いし、ソフトウェア処理とハードウェア処理とを組み合わせて実現しても良い。
【００２８】
上記各ユニットのうち、３Ｄデータ取得用撮像条件設定部１１６は、３次元データを収集するために、マルチスライスアキシャル断面の撮像を行うための撮像条件を、シーケンスコントローラ３４に設定する。シーケンスコントローラ３４は、この撮像条件に従ってマルチスライスアキシャル断面の撮像を行う。３Ｄデータ生成部１０２は、この撮像によって得られる被検体からの磁気共鳴信号を収集し、被検体の心臓を含む３次元データを収集した磁気共鳴信号から生成する。
【００２９】
特徴部位検出部１０４は、収集した３次元データから、心臓内の複数の解剖学的特徴部位、例えば、僧帽弁、大動脈弁、心尖部等の位置を検出する。
【００３０】
基準面／基準軸決定部１０６及び撮像断面決定部１０８は、検出した複数の解剖学的特徴部位の位置から、三腔長軸断面等の基準面や、大動脈ダクト等の血流路ダクトの中心軸（基準軸）を決定すると共に、大動脈弁等の心臓内の所定の観察部位、又はその近傍領域を含む断面であって、心臓内の血流経路（即ち、血流路ダクトの中心軸）に略直交する断面を撮像断面として決定する。撮像断面の具体的な決定方法については、後述する。
【００３１】
所定の観察部位を指定する情報、つまり、観察部位が大動脈弁であるといった情報は、入力部４２を介して装置に入力される。この情報に基づいて、基準面／基準軸決定部１０６は、大動脈弁の動態観察に適した撮像断面を決定するために必要となる基準面（三腔長軸断面）や大動脈ダクトの中心軸を決定する。また、特徴部位検出部１０４も同様に、観察部位が大動脈弁であるといった情報に基づいて、三腔長軸断面を決定するために必要となる複数の解剖学的特徴部位（僧帽弁、大動脈弁、心尖部）の位置を検出する。
【００３２】
断面画像取得用撮像条件設定部１１０は、決定した撮像断面や、その断面の撮像法（例えば、ＳＳＦＰ（Steady State Free Precision）法やＰＣ（Phase Contrast）法を用いたシネ撮像）に基づく撮像条件をシーケンスコントローラ３４に設定する。シーケンスコントローラ３４は、この撮像条件に従って、撮像断面の撮像を行う。断面画像再構成部１１２は、この撮像によって得られた磁気共鳴信号（生データ）を再構成して断面画像を生成し、表示部４３に表示させる。
【００３３】
画像解析部１１４は、再構成された断面画像に含まれる血流速度情報や、血流ダクトの径の大きさの情報等から、血流量の解析を含む、心臓の血流動態を解析する。
【００３４】
なお、図２の左側に示すように、磁気共鳴イメージング装置１からコンソール４００を除いた構成を撮像部５００と呼ぶものとする。
【００３５】
（２）動作
上記のように構成された磁気共鳴イメージング装置１のより具体的な動作を以下に説明する。
【００３６】
図３は、本実施形態に係る磁気共鳴イメージング装置１の撮像対象である心臓の解剖学的モデルを例示する図である。
【００３７】
周知のように、収縮期においては、左心室から送出された血液は左室流出路から大動脈弁を通り大動脈ダクトへ至り、そこから体内の各動脈に送り出される。また収縮期において、右心室から送出された静脈血は右室流出路から肺動脈弁を通り肺動脈ダクトへ至り、そこから左右の肺へ送り出される。
【００３８】
一方、拡張期においては、左右の肺から戻った動脈血は左心房へ入り、僧帽弁を通って左心室に流入する。また、体内の各静脈から戻った静脈血は右心房に入り、三尖弁を通って右心室に流入する。
【００３９】
なお、僧帽弁の近傍の血流路であって、左心房から左心室に流入する血流路を便宜上左室流入路と呼ぶものとする。また、三尖弁の近傍の血流路であって、右心房から右心室に流入する血流路を便宜上右室流入路と呼ぶものとする。さらに、大動脈ダクト、肺動脈ダクト、左室流入路、及び右室流入路を、単に血流ダクトと総称するものとする。また、左心室の下端部（心尖部）と僧帽弁の中心を結ぶ軸を左心室長軸、或いは単に長軸と呼ぶ。
【００４０】
図４は、磁気共鳴イメージング装置１による、弁等の撮像断面自動設定処理、及び設定された撮像断面における撮像処理、の一例を示すフローチャートである。磁気共鳴イメージング装置１は、心臓内の各弁、各血流ダクトを撮像対象とするものであるが、以下では、撮像対象として、大動脈弁、及びこれに連なる大動脈ダクトを例にとって説明する。なお、撮像対象（観察部位）が大動脈弁、及びこれに連なる大動脈ダクトであることは、入力部４２を介して、操作者が予め入力しておくものとする。
【００４１】
まず、ステップＳＴ１０において、被検体の心臓を含むスカウト画像用のデータを収集し、スカウト画像を生成する。スカウト画像は、例えば、アキシャル断面画像、コロナル断面画像、及びサジタル断面画像の３つの断面画像である。これらのスカウト画像は表示部４３に表示される。操作者は、表示部４３に表示されたスカウト画像を参照して、心臓全体をカバーする３次元のＦＯＶ（Field of View）を決定する。そして、心臓全体をカバーする複数のスライス（マルチスライス）からなるアキシャル断面画像を撮像するための撮像条件を、入力部４２を介して３Ｄデータ取得用撮像条件設定部１１６に設定する。
【００４２】
この撮像条件に従って被検体が撮像され、心臓全体を含むマルチスライスアキシャル断面画像、即ち、心臓の３次元データが収集される（ステップＳＴ１２）。
【００４３】
図５の左側は、収集されたマルチスライスアキシャル断面画像（３次元データ）の概念を示す図である。アキシャル断面の解像度とスライス間隔とが異なる場合には、各ボクセルの間隔が均一となるように、補間処理等を用いた等方化処理が行われ、図５の右側に示すように、等方化された３次元データが生成される（ステップＳＴ１４）。
【００４４】
次に、ステップＳＴ１６において、特徴部位検出部１０４が、心臓内の少なくとも３つの解剖学的特徴部位の位置を、ステップＳＴ１４にて生成した３次元データから検出する。より具体的には、観察部位が大動脈弁及びこれに連なる大動脈ダクトの場合は、僧帽弁、心尖部、及び大動脈弁の位置を、３次元データから検出する。これらの位置検出は、例えば、非特許文献１に記載される機械学習に基づく手法や、テンプレートマッチングを用いた手法等が用いられる。
【００４５】
機械学習に基づく手法に換えて、或いはこれに加えて、テンプレートマッチングを用いた手法で解剖学的特徴部位の位置検出を行ってもよい。例えば、機械学習に基づく手法で、僧帽弁、心尖部、及び大動脈弁の各中心位置を検出し、その後、検出された中心位置の近傍でテンプレートマッチングを用いた手法を用いて位置検出を行うことにより、検出位置の精度を高めてもよい。
【００４６】
図４のステップＳＴ１８では、決定された３つの解剖学的特徴部位（僧帽弁、心尖部、及び大動脈弁）の位置から、これら３つの位置を通る基準面を決定する。
【００４７】
図６の左図に示すように、ステップＳＴ１６で、僧帽弁、心尖部、及び大動脈弁の夫々の中心位置が決定されると、これら３つの位置を通る断面を決定することができる（ステップＳＴ１８：図６の右図参照）。僧帽弁、心尖部、及び大動脈弁の夫々の中心位置を通る断面の撮像画像は、左心室、左心房、及び左室流出路を良好に描画することができるため、三腔長軸断面（或いは３chamber断面）と呼ばれている。三腔長軸断面は、長軸を含む断面であって、大動脈弁の中心を通る断面である。
【００４８】
従来、三腔長軸断面を決定するためには、マルチスライスアキシャル断面像（３次元データ）から垂直長軸断面位置を決定し、決定した垂直長軸断面位置において撮像した垂直長軸断面像から水平長軸断面位置を決定し、決定した水平長軸断面位置において撮像した水平長軸断面像から短軸断面位置を決定し、といったチェーンオブリークを順次行って、その最終段階で三腔長軸断面が決定されていた。このため、先に決定した断面の位置誤差が後の断面の設定に伝搬するため誤差が累積し、三腔長軸断面位置の設定精度を確保するには、位置決め作業に操作者の高度な熟練と技量が要求されていた。これに対して、上述した方法では、僧帽弁、心尖部、及び大動脈弁の３つの中心位置を自動的に検出し、そしてこれら３つの位置から直ちに三腔長軸断面を決定することができる。このため、三腔中軸断面の決定を極めて短時間で行うことができ、かつ、操作者の熟練を要することなく、高い位置精度で三腔長軸断面を決定することができる。
【００４９】
次に、図４のステップＳＴ２０で、上記のように決定された三腔長軸断面内において、大動脈弁の中心を通り、かつ大動脈ダクトの壁面に略平行となる軸を基準軸として決定する。この基準軸は、大動脈ダクトの中心軸に該当する。
【００５０】
図７は、図４のステップＳＴ２０の処理を、より具体的な例で示す細部フローチャートである。三腔長軸断面内における基準軸（大動脈ダクトの中心軸）を決定する具体例を、図７のフローチャート、及び図８乃至図１１を参照して説明する。なお、以下に示す各ステップは、いずれも三腔長軸断面内における処理である。また、図９は、図８のうち、後述する関心領域Ｓ（θ）の近傍を模式的に拡大した図である。
【００５１】
まず、僧帽弁の中心を通り、長軸と直交する直線を基準線１ａとして設定する（ステップＳＴ２００））。基準線１ａは、三腔長軸断面内において長軸と直交していればよく、必ずしも僧帽弁の中心を通る必要はないが、以下では僧帽弁の中心を通り、長軸と直交する直線を基準線１ａとして説明する。
【００５２】
次に、大動脈弁の中心を通り、大動脈ダクトの概略の中心を通る直線を基準線１ｂとして設定する（ステップＳＴ２０２））。そして、基準線１ａと基準線１ｂの成す角をθ(deg)とする（ステップＳＴ２０４）。この段階での基準線１ｂは完全なダクト中心ではなく、概略ダクト中心を通る直線である。また、角度θは、以下のステップの処理によって最適な値に決定されるパラメータであり、角度θの初期値は、予め過去の症例データの平均値等から設定するようにすればよい。
【００５３】
次に、基準線１ａと基準線１ｂを通り、基準線１ｂと直交する直線を基準線１ｃとする（ステップＳＴ２０６）。なお、基準線１ｃの設定を省略することもできる。
【００５４】
次に、基準線１ｂを概略中心とし、大動脈弁の前後、及び大動脈ダクトの壁を含む領域を関心領域Ｓ（θ）として定義する（ステップＳＴ２０８）。関心領域Ｓ（θ）の位置や大きさ等は、多数の症例データに基づく平均値や標準偏差等に基づいて予め設定しておけばよい。これにより、心臓の全領域のうち、大動脈ダクトの部分を含む小領域となるように、関心領域Ｓ（θ）が設定される。
【００５５】
次に、関心領域Ｓ（θ）内の画素位置（x, y）の画素値Ｉ（x, y）を示す画像（図１０（ａ）から、画素位置（x, y）における画素値Ｉ（x, y）の勾配方向Ｉdir（x, y）を示す画像（図１０（ｂ））、及び画素値Ｉ（x, y）の勾配の大きさＩgrad（x, y）を示す画像（図１０（ｃ））を算出する（ステップＳＴ２１０）。つまり、各画素位置（x, y）における画素値Ｉ（x, y）の勾配をベクトルで表した場合、そのベクトルの向き（角度（deg））が勾配方向Ｉdir（x, y）に該当し、ベクトルの大きさが勾配の大きさＩgrad（x, y）に該当することになり、これらをステップＳＴ２１０で算出する。
【００５６】
次に、勾配方向Ｉdir（x, y）を示す画像、及び勾配の大きさＩgrad（x, y）を示す画像から、例えば、以下の（式１）で表される評価関数Ｅ（θ）を算出する（ステップＳＴ２１２：図１１）。
【００５７】
Ｅ（θ）＝ΣＩgrad（x, y）・[ｃｏｓ（２（Ｉdir（x, y）−（θ＋９０°））] (式１)
（式１）において、[ｃｏｓ（２（Ｉdir（x, y）−（θ＋９０°））]で表される関数ｆ（x, y, θ）は、ダクト軸方向θと勾配方向Ｉdir（x, y）とが直交したときに最大値「１」となる関数である。また、評価関数Ｅ（θ）は、関数ｆ（x, y, θ）を画素位置（x, y）ごとに勾配の大きさＩgrad（x, y）で重み付けし、関心領域Ｓ（θ）内で加算した関数となっている。
【００５８】
この評価関数Ｅ（θ）は、関心領域Ｓ（θ）内におけるダクトを全体的に見たとき、関心領域Ｓ（θ）内の画素値、特に、ダクト壁と血液部分が隣り合う付近の各点の勾配方向と、ダクト軸方向θとが直交するとき、図１１の下部に示すように、最大値をとる。そして、評価関数Ｅ（θ）が最大となる方向θが、最適なダクト軸方向θoptとなる。言い換えると、ダクト軸方向θとダクト壁に沿う方向とが全体として平行とみなせるような方向θを、最適なダクト軸方向θoptとして求めることができる（ステップＳＴ２１４）。
【００５９】
具体的には、ダクト軸の方向θをパラメータとして、ステップＳＴ２０４からステップＳＴ２１２を繰り返すことにより、評価関数Ｅ（θ）が最大となる最適なダクト軸方向θoptを決定する。
【００６０】
このように決定された最適なダクト軸方向θoptにより、大動脈ダクトの中心軸、即ち、大動脈弁の中心を通り、大動脈ダクトの壁面に略平行（実質的に平行）となる基準軸を決定することができる（ステップＳＴ２１６）。
【００６１】
なお、上述した図４のステップＳＴ１８、ステップＳＴ２０の処理、及び図７のステップＳＴ２００乃至ステップＳＴ２１６の処理は、図２に示す基準面／基準軸決定部１０６によって行われる。
【００６２】
図４に戻り、次のステップＳＴ２２では、図１２（ａ）に示すように、決定した基準軸（大動脈ダクトの中心軸）に直交し、大動脈弁の中心位置を通る断面を、大動脈弁の撮像断面として決定する。ステップＳＴ２２処理は、図２の撮像断面決定部１０８によって行われる。このようにして決定した大動脈弁の撮像断面は、大動脈弁の中心位置を通り、かつ、大動脈弁の横断面に平行な断面（即ち、大動脈ダクトに直交する断面）であるため、大動脈弁の形状やその動的な変化を、斜め方向からでなく真正面方向から撮像した画像として、正確に描画することができる。
【００６３】
なお、大動脈弁の撮像断面と基準軸（大動脈ダクトの中心軸）とは、必ずしも厳密に直交する必要はなく、略直交であってもよい。即ち、大動脈弁の形状やその動的な変化を診断する上で許容され得る範囲内で完全な直交からずれてもよい。
【００６４】
撮像断面決定部１０８にて決定された大動脈弁の撮像断面の位置情報は、図２の断面画像取得用撮像条件設定部１１０に送られる。断面画像取得用撮像条件設定部１１０には、上記の大動脈弁の撮像断面の位置情報の他、大動脈弁の撮像法や撮像パラメータ等の撮像条件が入力される。これらの撮像条件は、シーケンスコントローラ３４に送られ、大動脈弁の撮像が行われる（ステップＳＴ２４）。
【００６５】
大動脈弁の撮像法は特に限定するものではなく、静止画像の撮像や、動画像の撮像（シネ撮像）を含む、各種の撮像法を採用することができる。大動脈弁の撮像法として、ＦＥ（Field Echo）系の高速撮像法や、ＳＳＦＰ(Steady State Free Precession)法を用いたシネ撮像を行った場合、図１２（ｂ）に模式的に例示したように、大動脈弁に垂直な方向から大動脈の動的な形態を精度よく観察することができるため、大動脈弁の形状に関わる診断のみならず、大動脈弁の機能の診断に関して有用な情報を得ることが可能となる。
【００６６】
上記の説明では、大動脈弁の中心を通る断面を撮像断面として決定していたが、大動脈ダクトの中心軸に直交する断面で、大動脈弁の中心から少し離れた、大動脈弁の近傍の１つ或いは複数の断面を、撮像断面としてさらに決定するようにしても良い。大動脈弁の中心からどの程度離すかは、過去の多くの症例データ等から決定することができる。
【００６７】
図４のステップＳＴ２２及びステップＳＴ２４は、大動脈弁自体を撮像するための撮像断面を決定し、撮像するステップである。これに対して、ステップＳＴ２６及びステップＳＴ２８は、大動脈弁に連なる大動脈ダクト或いは左室流出路の横断面を撮像するための撮像断面を決定し、撮像するステップである。
【００６８】
ステップＳＴ２６では、撮像断面決定部１０８が、ステップＳＴ２０で決定した基準軸（大動脈ダクトの中心軸）に直交し、かつ、大動脈弁の上流側及び下流側の少なくとも一方の位置を通る断面を、大動脈ダクト或いは左室流出路の撮像断面として決定する。図１３（ａ）に例示するように、大動脈弁の下流側の一断面を撮像断面としてもよいし、これとは逆に大動脈弁の上流側の一断面を撮像断面としてもよい。また、大動脈弁の上流側と下流側の２つの断面、或いは複数の断面を撮像断面としてもよい。
【００６９】
そして、ステップＳＴ２８において、決定した撮像断面にて、大動脈ダクト或いは左室流出路の横断面を撮像する。これらの横断面の撮像法としては、例えば、ＰＣ（Phase Contrast）法等の、血流速度情報を取得可能な撮像法がある。撮像断面決定部１０８にて決定された大動脈ダクト或いは左室流出路の撮像断面の位置情報は、断面画像取得用撮像条件設定部１１０に送られ、さらにＰＣ法等の撮像法に関する撮像条件等と共にシーケンスコントローラ３４に送られ、大動脈ダクト等の横断面の撮像が行われる。
【００７０】
図１３（ｂ）は、大動脈ダクトの横断面を、ＰＣ法でシネ撮像し、その撮像データから血流速度を画像化した例を示す図である。図１３（ｂ）では、大動脈ダクト壁の内側の、色の濃い領域が血流速度の速い領域に対応し、淡い領域が血流速度の遅い領域に対応することを模式的に示している。
【００７１】
ステップＳＴ２６で決定される大動脈ダクト等の撮像断面は、大動脈ダクトの中心軸に直交する断面である。このため、大動脈ダクトの中心軸に対して撮像断面が斜めに設定された場合に比べると、大動脈ダクト内を流れる血流速度を正確に測定することができる。
【００７２】
さらに、必要に応じて、ステップＳＴ３０において、血液の流量解析を行う。この解析は、図２の画像解析部１１４で行う。ステップＳＴ２８において、大動脈ダクト内の血流速度を測定することができる。一方、撮像画像から、大動脈ダクトの流路の横断面の面積を求めることが可能である。そして、血流速度と流路の横断面面積とから、大動脈ダクトの撮像断面を通過する血液の流量（単位時間あたりに通過する血液の量）を算出することができる。血液の流速や流量の算出ときの使用される関心領域（或いは断面）の設定においては、既に検出している大動脈弁の位置を利用することができる。
【００７３】
さらに、例えば、大動脈弁を挟む２つの撮像断面から、大動脈弁の上流側の流路（左室流出路）と下流側の流路（大動脈ダクト）の血流量をそれぞれ算出することもできる。そうすると、これらの血流量の振舞いから、大動脈弁における逆流等の症状を診断することも可能となる。
【００７４】
なお、大動脈ダクトの撮像断面と基準軸（大動脈ダクトの中心軸）とは、必ずしも厳密に直交する必要はなく、略直交であってもよい。即ち、血流速度の測定や血液の流量解析を行う上で許容され得る範囲内で完全な直交からずれてもよい。
【００７５】
上述したように、第１の実施形態に係る磁気共鳴イメージング装置１によれば、操作者が入力すべき情報の量を大幅に減らすことが可能となり、また、チェーンオブリークのような煩雑な操作の手順を排除することができる。例えば、観察部位が大動脈と大動脈ダクトであるとの情報のみを入力することによって、大動脈弁の診断や大動脈ダクト内の血流動態観察に有用な撮像断面を短時間で決定することができる。
【００７６】
また、撮像と断面設定の手順を繰り返す従来のチェーンオブリークの手法のように誤差の累積が生じないため、高い精度で撮像断面の位置を決定することができる。
【００７７】
（３）第１の実施形態の変形例
上述した第１の実施形態では、大動脈弁の撮像断面、及び大動脈弁の前後の大動脈ダクトの撮像断面を装置が自動的に決定している。同じ手法は、大動脈弁以外の心臓内の弁や、この弁に連なる血流ダクトにも適用できる。
【００７８】
例えば、図１４に示すように、上述した手法と同様に、肺動脈弁の横断面を撮像断面として決定し、或いは、肺動脈の前後に連なる肺動脈ダクト或いは右室流出路の横断面の撮像断面を、決定することができる。この場合、図４のステップＳＴ１６において、特徴部位検出部１０４が肺動脈弁、三尖弁、及び右室心尖部の位置を、前述した機械学習をベースとした手法等によって決定する。その後、基準面／基準軸決定部１０６が、ステップＳＴ１８の三腔長軸断面に換えて、肺動脈弁、三尖弁、及び右室心尖部の夫々の中心を通る断面を基準面として決定する。その後、この断面内において、肺動脈弁の中心を通り、肺動脈ダクトの隔壁と平行となる基準軸（肺動脈ダクトの中心軸）を決定する。肺動脈ダクトの中心軸の決定においては、図１４に示すように、右室心尖部と肺動脈弁を通る右室長軸と、上記基準面内においてこの右室長軸と直交する基準線ａとが用いられる。そして、ステップＳＴ２２やステップＳＴ２６と同様の手法を用いて、この肺動脈ダクトの中心軸に直交し、かつ、肺動脈弁の中心を通る断面や、肺動脈弁の前後を通る断面を、肺動脈弁の撮像断面や、肺動脈ダクト等の撮像断面として決定する。
【００７９】
また、図１５（ａ）に示すように、第１の実施形態と同様の手法により、三尖弁の横断面を撮像断面として決定し、或いは、三尖弁の上流側の血流ダクト（右室流入路）や下流側の血流ダクトの横断面を撮像断面として決定することができる。この場合、肺動脈弁、三尖弁、及び右室心尖部の各中心を通る断面が基準面となり、右室流入路の隔壁と平行となる軸が基準軸（右室流入路の中心軸）となる。
【００８０】
さらにまた、図１５（ｂ）に示すように、第１の実施形態と同様の手法により、僧帽弁の横断面を撮像断面として決定し、或いは、僧帽弁の上流側の血流ダクト（左室流入路）や下流側の血流ダクトの横断面を撮像断面として決定することもできる。この場合、僧帽弁、肺動脈弁、及び心尖部の各中心を通る断面（三腔長軸断面）が基準面となり、左室流入路の隔壁と平行となる軸が基準軸（左室流入路の中心軸）となる。
【００８１】
第１の実施形態及びその変形例によれば、心臓内の４つの弁（僧帽弁、大動脈弁、肺動脈弁、及び三尖弁）の撮像断面を、操作者の技量に依存することなく短時間で、かつ高い位置精度で自動決定することが可能となり、心臓の各弁の形態的、或いは機能的な診断を迅速かつ適切に行うことが可能となる。
【００８２】
加えて、各弁の前後における血流路に垂直な撮像断面の画像情報から、血流ダクト内を流れる血液の速度情報や血液の流量を正確に得ることが可能となる。その結果、心臓から肺及び体内に流出する血液の流量と、肺及び体内から心臓に流入する血液の流量とを短時間で分析することが可能となり、心臓全体の血流の動態を適格に診断することが可能となる。
【００８３】
ところで、大動脈弁等（以下、心臓内の４つの弁を総称して大動脈弁等と呼ぶ）の位置は、厳密には、心臓の収縮や拡張等の時相に応じて変化する。そこで、第１の実施形態及びその変形例では、例えば、心臓の拡張期等の比較的動きの少ない時相でマルチスライス撮像を行って３次元データを取得する。そして、この３次元データから決定した大動脈弁等の中心位置の撮像断面に加えて、大動脈弁等の近傍の撮像断面で大動脈弁を撮像することにより、時相によって位置が変化した場合でも大動脈弁等の撮像画像を得ることができる。
【００８４】
（４）第２の実施形態
これに対して、第２の実施形態では、時相によって変化する大動脈弁等の中心位置を、時相ごとに予め求めておき、さらに、大動脈弁等の中心を通る撮像断面を、時相に関連づけて予め決定しておく。そして、大動脈弁等をシネ撮像する場合は、Ｒ波等の心電同期信号から定まる時相に関連付けられた撮像断面で撮像する。この方法により、大動脈弁等の位置が時相によって変動しても、各時相において、大動脈弁等の中心を通る断面で撮像することが可能となる。
【００８５】
なお、第２の実施形態の構成は、基本的には第１の実施形態の構成（図１及び図２）と同じである。
【００８６】
図１６は、第２の実施形態の動作の概要を示す図である。第２の実施形態では、複数時相において、心臓をマルチスライス撮像して、３Ｄデータ生成部１０２が、時相ごとの３次元データを生成する。そして、特徴部位検出部１０４は、これらの時相ごとの３次元データから、僧帽弁、心尖部、大動脈弁等の複数の特徴部位の位置を時相ごとに検出する。その後、基準面／基準軸決定部１０６は、時相ごとに基準面や基準軸を決定する。また、撮像断面決定部１０８は、時相ごとに決定された基準面や基準軸に基づいて、時相ごとに大動脈弁等の撮像断面を決定する。基準面や基準軸を決定する方法や、これらから大動脈弁等の撮像断面を決定する方法は、前述した第１の実施形態と同様である。
【００８７】
そして、時相ごとに決定された撮像断面において、大動脈弁等をシネ撮像する。第２の実施形態によれば、大動脈弁等の撮像断面の位置は、時相によって変化する大動脈弁等の中心位置を追随する（中心位置に応じて変化する）ため、大動脈弁等の中心位置を正確にとらえた画像を得ることができる。
【００８８】
なお、時相ごとの撮像断面の決定において、各撮像断面の向き（或いは各撮像断面の法線ベクトルの方向）を、いずれか１つの時相における撮像断面の向きに揃え、その上で撮像断面のオフセット位置（大動脈ダクトの中心軸方向の位置）のみを時相に応じて追随させるようにしてもよい。
【００８９】
（５）第３の実施形態
図１７は、第３の実施形態の動作の概要を示す図である。第３の実施形態の構成も、第１の実施形態及び第２の実施形態と同じである。
【００９０】
第３の実施形態では、１つの時相、例えば、心臓の動きの少ない拡張期の１時相において心臓をマルチスライス撮像して、３Ｄデータ生成部１０２が、この１時相に対応する１つの３次元データを生成する。そして、特徴部位検出部１０４は、この３次元データから特徴部位の位置を時相ごとに検出し、基準面／基準軸決定部１０６は、検出した特徴部位の位置に基づいて、１つの基準面を決定する。例えば、大動脈弁を撮像する場合には、大動脈弁、僧帽弁、及び心尖部の３つの特徴部位の位置を検出し、これら３つの特徴部位を通る断面（三腔長軸断面）を基準面として決定する。ここまでの処理は基本的には第１の実施形態と同じであり、図４のステップＳＴ１０乃至ステップＳＴ１８までの処理に該当する。しかしながら、第３の実施形態では、これ以降の処理が第１の実施形態と異なる。
【００９１】
第３の実施形態では、決定した基準面（三腔長軸断面）において、複数の時相に対する２次元撮像を実行する。そして、時相ごとに得られた２次元画像から、特徴部位検出部１０４は大動脈弁の中心位置を時相ごとに検出する。また、基準面／基準軸決定部１０６は、時相ごとの大動脈ダクトの中心軸を決定する。さらに、撮像断面決定部１０８は、各時相に対応する撮像断面をそれぞれ決定する。その後、時相ごとに決定された撮像断面において、大動脈弁等をシネ撮像する。
【００９２】
第３の実施形態では、第２の実施形態と同様に、時相によって変化する大動脈弁等の中心位置を追随して撮像することができ、大動脈弁等の中心位置を正確にとらえた画像を得ることができる。また、第３の実施形態では、時相ごとの撮像位置を決定するための画像を、第２の実施形態のように３次元撮像によらず、２次元撮像から取得しているため、時相ごとの撮像位置を決定するための撮像時間や画像処理時間が短縮される。
【００９３】
なお、第３の実施形態においても第２の実施形態と同様に、時相ごとの撮像断面の決定において、各撮像断面の向き（或いは各撮像断面の法線ベクトルの方向）を、いずれか１つの時相における撮像断面の向きに揃え、その上で撮像断面のオフセット位置（大動脈ダクトの中心軸方向の位置）のみを時相に応じて追随させるようにしてもよい。
【００９４】
上述したように、各実施形態の磁気共鳴イメージング装置１によれば、大動脈弁等の動態観察に適した断面や、心臓の血流動態の把握に適した血流ダクトの横断面等、基準６断面以外の心臓診断上有用な断面を、操作者の熟練度や技量に依存することなく、正確に、かつ、短時間で自動設定することができる。
【００９５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９６】
１  磁気共鳴イメージング装置
４０  プロセッサ
４２  入力部
４３  表示部
１０２  ３Ｄデータ生成部
１０４  特徴部位検出部
１０６  基準面／基準軸決定部
１０８  撮像断面決定部
１１４  画像解析部
４００  コンソール
５００  撮像部
【図１】
2015131023.tif 000003
【図２】
2015131023.tif 000004
【図３】
2015131023.tif 000005
【図４】
2015131023.tif 000006
【図５】
2015131023.tif 000007
【図６】
2015131023.tif 000008
【図７】
2015131023.tif 000009
【図８】
2015131023.tif 000010
【図９】
2015131023.tif 000011
【図１０】
2015131023.tif 000012
【図１１】
2015131023.tif 000013
【図１４】
2015131023.tif 000014
【図１５】
2015131023.tif 000015
【図１６】
2015131023.tif 000016
【図１７】
2015131023.tif 000017
【図１２】
2015131023.tif 000018
【図１３】
2015131023.tif 000019